(57)【要約】【課題】  感光層を備えたリード・ワンス記録媒体及び読み出し保護機能を備えたシステムの提供。【解決手段】  本発明のリード・ワンス記録媒体は、コントロールデータ域とデータ域を備え、予め記録されたデータを有するデータ担体と、データ担体上方に配置された感光層と、感光層上方に配置された反射層と、反射層上方に配置された接着層と、接着層上方に配置された透明基材を含み、記録媒体が光学ストレージデバイスに読み込まれるとき、光学ストレージデバイスから照射される特定の出力のレーザー光が前記データ担体を通過して前記感光層上に集中されると、前記感光層または前記データ担体の構造が変えられ、前記レーザー光が感光層により反射されて前記光学ストレージデバイスに認識されなくなることを特徴とする。更に、本発明は又読み出し保護機能を備えたシステムを提供できる。【選択図】  図２
2007250163.tif 000002
【特許請求の範囲】
【請求項１】
リード・ワンス記録媒体であって、
コントロールデータ域とデータ域を備え、予め記録されたデータを有するデータ基板と、
前記データ基板上方に配置された感光層と、
前記感光層上方に配置された反射層と、
前記反射層上方に配置された接着層と、
前記接着層上方に配置された透明基材を含み、
光学ストレージデバイスから照射される特定の出力のレーザー光が前記データ基板を通過して前記感光層上に集中されると、前記感光層または前記データ担体の構造が変えられ、前記レーザー光が感光層により反射されて前記光学ストレージデバイスに認識されなくなることを特徴とする、リード・ワンス記録媒体。
【請求項２】
前記データ担体と前記透明基材がプラスチック材料から成り、前記プラスチック材料がポリカーボネートである、請求項１に記載のリード・ワンス記録媒体。
【請求項３】
前記感光層が有機色素を使ったスピンコーティング工程によりデータ基板上に形成されるか、無機合金材料を使ったスパッタリングコーティング工程によりデータ基板上に形成される、請求項１に記載のリード・ワンス記録媒体。
【請求項４】
前記レーザー光の出力が１.０mW以上であり、前記記録媒体がCD、DVD-ROM、HD DVD-ROMまたはBD-ROMである、請求項１に記載のリード・ワンス記録媒体。
【請求項５】
前記レーザー光が前記データ基板を通過して感光層上に集中されると、前記感光層の反射率、屈折率または吸収率が変えられる、請求項１に記載のリード・ワンス記録媒体。
【請求項６】
前記コントロールデータ域がさらにコントロールコードを含み、前記コントロールコードが製造シリアル番号、ランダムシリアル番号または認証番号である、請求項１に記載のリード・ワンス記録媒体。
【請求項７】
前記予め記録されたデータはエンコードメカニズムにより暗号化されてから前記データ域に書き込まれ、前記エンコードメカニズムはMPEG-１、MPEG-２、MPEG-４またはリードソロモンエンコードメカニズムである、請求項６に記載のリード・ワンス記録媒体。
【請求項８】
読み出し保護機能を備えたシステムであって、
コントロールデータ域とデータ域を備え、前記データ域に予め記録されたデータを有し、前記コントロールデータ域にコントロールコードを有するデータ担体を備えた記録媒体と、
前記記録媒体を読み込み、前記コントロールコードを読み込み識別するための復号化メカニズムを備え、前記コントロールコードが識別可能な場合は前記コントロールコードを復号化して復号化されたデータを出力し、 前記コントロールコードが識別不能な場合は前記エンコードされたデータを直接出力する光学ストレージデバイスと、
を含む、読み出し保護機能を備えたシステム。
【請求項９】
前記データ担体と前記透明基材がプラスチック材料から成り、前記プラスチック材料がポリカーボネートである、請求項８に記載の読み出し保護機能を備えたシステム。
【請求項１０】
前記コントロールデータ域が１９２ブロックを有し、各ブロックが１６セクターに分割された３２Kバイトを有し、各セクターが２Kバイトを有し、前記コントロールコードが４〜６バイトを有し、前記コントロールコードが製造シリアル番号、ランダムシリアル番号または認証番号である、請求項８に記載の読み出し保護機能を備えたシステム。
【請求項１１】
前記記録媒体がCD、DVD-ROM、HD DVD-ROMまたはBD-ROMであり、前記光学ストレージデバイスがCD再生装置/書き込み装置またはDVD再生装置/書き込み装置である、請求項８に記載の読み出し保護機能を備えたシステム。
【請求項１２】
前記記録媒体のエンコードメカニズムがMPEG-１、MPEG-２、MPEG-４またはリードソロモンエンコードメカニズムであり、前記光学ストレージデバイスの復号化メカニズムがMPEG-１、MPEG-２、MPEG-４またはリードソロモン復号化メカニズムである、請求項８に記載の読み出し保護機能を備えたシステム。
【請求項１３】
前記記録媒体がさらに、前記データ担体上方に配置された感光層を含み、前記感光層が有機色素を使ったスピンコーティング工程によりデータ担体上に形成されるか、無機合金材料を使ったスパッタリングコーティング工程によりデータ担体上に形成され、前記光学ストレージデバイスから照射される特定の出力のレーザー光が前記データ担体を通過して前記感光層上に集中されると、前記感光層の構造が変えられ、前記レーザー光が感光層により反射されて前記光学ストレージデバイスに認識されなくなる、請求項８に記載の読み出し保護機能を備えたシステム。
【請求項１４】
前記レーザー光が前記データ担体を通過して感光層上に集中されると、前記感光層の反射率、屈折率または吸収率が変えられ、前記レーザー光の出力が１.０mW以上である、請求項１３に記載の読み出し保護機能を備えたシステム。
【発明の詳細な説明】
【技術分野】
【０００１】
本発明はリード・ワンス記録媒体に関し、詳細には、感光層を備えた記録媒体であって、この記録媒体はコントロールデータ域内にコントロールコードを有し、この記録媒体が光学ストレージデバイスに読み込まれるとき、 光学ストレージデバイスから照射される特定の出力のレーザー光がデータ基板を通過して感光層上に集中し、感光層またはデータ担体の構造が変えられ、レーザー光が感光層により反射されて、光学ストレージデバイスに認識されなくなる、リード・ワンス記録媒体に関する。さらに、本発明は読み出し保護機能を備えたシステムも提供する。
【背景技術】
【０００２】
一般に、オーディオ及びビデオファイルはサーバからダウンロードされ、従来の技術による単純なセキュリティチェックによってDVDまたはCDプレイヤーで再生することができる。しかしながら、このセキュリティチェックはユーザにより省かれてしまうことがあり、このためDVDまたはCDの発行元は、ダウンロードされたファイルの代価の支払いをユーザに要求することができなくなり、この結果DVDやCDメディアの不正使用がますます増えている。
【０００３】
現在、DVDやCDの不正コピーからの保護の問題を解決することができるシステムや解決策がある。例えば、Aucsmithらによる米国特許第５,９９１,４０３号は後続の圧縮のためのMPEG互換性ビデオデータのエンコード方法を開示しており、これはGOPとしてまとめられたビデオデータの複数のフレームを検知し、GOPの暗号化キーを生成し、生成された暗号化キーから生成されたオフセットによりパラメータ化され、GOPに同期化された代用、置き換え及び回転変換を使用し、ビデオデータを暗号化するという手順を含む方法である。
【０００４】
Aucsmithらによる米国特許第５,９１５,０１８号は、DVDコピー防止スキームで使用するための暗号化システムと、暗号化キーの安全な配布及び管理の方法を開示している。圧縮・暗号化され、ディスクの第一部分に書き込まれたコンテンツと、それ自身が第二のキーで暗号化され、ディスクの第二部分の帯域外に書き込まれたコンテンツ暗号化キーを備えたDVDディスクをDVDプレイヤーにコンテンツ、キー、制御情報を提供するために用いるというものである。
【０００５】
米国特許第５,９９１,４０３号は後続の圧縮のためにMPEG互換性ビデオデータをコーディングするために用いられ、米国特許第５,９１５,０１８号はDVDコピー防止スキームで使用するための暗号化システムと、暗号化キーの安全な配布及び管理の方法である。しかしながら、これら特許技術はすべてCDまたはDVDのデータの暗号化または復号化の管理に暗号化キーを用いている。暗号化キーの構造は比較的複雑であり、さらに、米国特許第５,９１５,０１８号は発行元や映画の制作会社、コンピュータ会社などにより多くのロイヤリティを支払う必要があり、CDやDVDのコストが増加してしまうため、CDやDVDの販売価格を下げることができない。
【特許文献１】米国特許第５,９９１,４０３号
【特許文献２】米国特許第５,９１５,０１８号
【発明の開示】
【発明が解決しようとする課題】
【０００６】
このため、本発明の主な目的は、前述の従来の技術における欠点を克服し、記録媒体が光学ストレージデバイスに読み込まれるとき、光学ストレージデバイスから照射される特定の出力のレーザー光がデータ担体を通過して感光層上に集中し、感光層またはデータ担体の構造が変えられ、このレーザー光が感光層により反射され、光学ストレージデバイスに認識されなくなる、感光層を備えたリード・ワンス記録媒体を提供することにある。
【０００７】
本発明の別の目的は、前述の従来の技術における欠点を克服するために、コントロールデータ域に光学ストレージデバイスに識別されるためのコントロールコードを有し、読み出し保護と不正コピーの防止という目的を達する、リード・ワンス記録媒体を提供することにある。
【０００８】
本発明のさらに別の目的は、前述の従来の技術における欠点を克服するために、コントロールデータ域及び暗号化されたデータを含むデータ域を有する記憶媒体を含み、 記録媒体が光学ストレージデバイスに読み込まれるとき、光学ストレージデバイスがコントロールコードを読み込んで識別し、コントロールコードが識別可能である場合、光学ストレージデバイスがコントロールコードを復号化して復号化されたデータを出力し、またはコントロールコードが識別不能である場合、 光学ストレージデバイスが暗号化されたデータを直接出力する、読み出し保護機能を備えたシステムを提供することにある。
【課題を解決するための手段】
【０００９】
前述の目的を達するため、本発明に基づく読み出し保護機能を備えたシステムは、コントロールデータ域及びデータ域を備え、予め記録されたデータを有するデータ基板と、データ基板上方に配置された感光層と、感光層上方に配置された反射層と、反射層上方に配置された接着層と、接着層上方に配置された透明基材を含み、これにより、光学ストレージデバイスから照射される特定の出力のレーザー光がデータ基板を通過し、感光層上に集中されると、感光層またはデータ基板の構造が変えられ、レーザー光が感光層により反射され光学ストレージデバイスに認識されなくなる。
【発明を実施するための最良の形態】
【００１０】
いわゆる読み出し保護機能を備えたシステムとは、保存されたデータが光学ストレージデバイスにより読み込まれた後に破壊され、即ち、記録媒体を不正にコピーすることができないため、記録媒体のデータが保護されるというものである。読み出し保護機能を備えたシステムの構造の詳細について、以下で説明する。 
【００１１】
図１a及び図１ｂはそれぞれ本発明の最良の実施例に基づくリード・ワンス記録媒体１０の断面図と拡大図である。図１aに示すように、本発明のリード・ワンス記録媒体１０は、例えばCD、DVD-ROM、 HD DVD-ROMまたはBD-ROMとすることができるが、これらに限らないものとし、データ担体１１、感光層１２、反射層１３、接着層１４、透明基材１５を含む。
【００１２】
そのうち、データ基板１１はプラスチック材から成り、例えばポリカーボネート(PC)等とすることができるが、これに限らないものとし、データ基板１１はさらにコントロールデータ域１１１及びデータ域１１２(図１ｂ参照)を含み、データ域１１２は予め記録された(即ち、書き込まれた)データを有し、例えばコンピュータソフトウェア、画像データ、音声データ等を有するものとするが、これらに限らない。さらに、予め記録されたデータは暗号化された後データ基板１１に記録される、このエンコードメカニズムは例えばMPEG-１、MPEG-２、MPEG-４またはリードソロモン等のエンコードメカニズムとすることができるが、これらに限らないものとする。
【００１３】
感光層１２はデータ基板１１上方に配置され、光に対する感度を有し、光学ストレージデバイスから照射される特定の出力のレーザー光(図示しない)がデータ基板１１を通過して感光層１２上に集中されると、その構造が変えられる。感光層１２は有機色素を使ったスピンコーティング工程によりデータ担体１１上に形成するか、無機合金材料を使ったスパッタリングコーティング工程によりデータ基板１１上に形成することができ、このうち、無機合金材料は金属合金とし、レーザー光線の出力は１.０mW以上であるものとする。
【００１４】
反射層１３は感光層１２上方に配置され、光学ストレージデバイス２０により照射されるレーザー光を反射することができ(図２参照)、且つ、反射されたレーザー光が光学ストレージデバイス２０の受光素子(図示しない)により認識される。そのうち、反射層１３は例えば銀または銀合金から成るものとすることができるが、これらに限らない。これは従来の技術であるため、ここでは説明を省略する。
【００１５】
接着層１４は反射層１３上方に配置され、データ基板１１と透明基材１５を接着するために用いられる。
【００１６】
透明基材１５は接着層１４上方に配置され、プラスチック材料から成るものとし、例えばその上に画像や言語の印刷またはインク付けを行なうためのポリカーボネート（PC）とすることができるが、これに限らないものとする。
【００１７】
本発明のリード・ワンス記録媒体１０の製造において、感光層１２はデータ基板１１上方に配置され、且つ、光に対する感度を有し、光学ストレージデバイス２０から照射される特定の出力のレーザー光(図示しない)がデータ基板１１を通過して感光層１２上に集中されると、その構造が変えられ、レーザー光は感光層１２により反射され、感光層１２の構造が破壊されているために、光学ストレージデバイス２０に認識されなくなり、読み出し保護と不正コピー防止という目的を達することができる。レーザー光がデータ基板１１を通過して感光層１２上に集中されたときに感光層１２の反射率、屈折率または吸収率が変えられるため、感光層１２に反射されるレーザー光が光学ストレージデバイス２０に認識されなくなる。
【００１８】
このため、一度読み出された後に感光層１２の構造が変えられているため、記録媒体１０に予め記録されたデータが破壊され、光学ストレージデバイス２０の受光素子に検知されなくなり、これにより記録媒体１０に予め記録されたデータはコピーすることができなくなるため、コンテンツ提供者が喜んでCDやDVDの販売価格を下げるようになる。このため、本発明のリード・ワンス記録媒体１０は従来の技術の欠点を克服することができる。
【００１９】
さらに、読み出し保護という目的を強化するため、本発明のリード・ワンス記録媒体１０のコントロールデータ域１１１はさらにコントロールコード１１５（図１ｂ参照）を含み、このコントロールコード１１５は製造シリアル番号、ランダムシリアル番号、またはコンピュータソフトウェア、画像ファイル、オーディオファイルの認証番号とすることができる。リード・ワンス記録媒体１０が光学ストレージデバイス２０に読み込まれるとき、光学ストレージデバイス２０がコントロールコード １１５を認識できない場合、予め記録されたデータを読み出すことができない。 従って読み出し保護の目標を達成する事が出来る。
【００２０】
図２は本発明の最良の実施例に基づく読み出し保護機能を備えたシステムの組み立て図である。この図に示すように、本発明の読み出し保護機能を備えたシステムは、記録媒体１０と光学ストレージデバイス２０を含む。
【００２１】
そのうち、記録媒体１０は次を含むCD、DVD-ROM、HD DVD-ROMまたはBD-ROMとすることができるが、これらに限らないものとする。コントロールデータ域１１１及びデータ域１１２を有するデータ基板１１(図１ｂを参照)は、コントロールデータ域１１１が複数のブロック１１３を有し、例えば１９２ブロックとすることができるが、これに限らないものとし、各ブロック１１３は複数のセクター１１４を備え、例えば１６セクターとすることができるが、これに限らないものとし、且つ、各セクター１４は複数のバイトを有し、例えば２Kバイトとすることができるが、これに限らないものとし、データ域１１２は暗号化されたデータを有し、例えばコンピュータソフトウェア、画像ファイルまたはオーディオファイルとすることができるが、これらに限らないものとし、且つ、４〜６バイト長のコントロールコード１１５がセクター１１４のいずれかに配置され、例えば０と１セクターとすることができるが、これらに限らないものとする。コントロールコード１１５は光学ストレージデバイス２０による識別のために用いられ、製造シリアル番号、ランダムシリアル番号、またはコンピュータソフトウェア、画像ファイル、オーディオファイルの認証番号とすることができる。
【００２２】
データ基板１１はプラスチック材から成り、例えばポリカーボネート(PC)等とすることができるが、これに限らないものとする。
【００２３】
光学ストレージデバイス２０は、CD再生装置/書き込み装置またはDVD再生装置/書き込み装置とすることができるが、これらに限らないものとし、記録媒体１０を読み込み、コントロールコード１１５を読み出すことができ、データ域１１２の暗号化されたデータを復号化するための復号化メカニズム（図示しない）を有するものとする。そのうち、光学ストレージデバイス２０の復号化メカニズムは記録媒体１０のエンコードメカニズムに対応するものとし、例えば、記録媒体１０のエンコードメカニズムをMPEG-１、MPEG-２、MPEG-４またはリードソロモン等のエンコードメカニズムこれらに限らないが、とした場合、光学ストレージデバイス２０の復号化メカニズムもまたMPEG-１、MPEG-２、MPEG-４またはリードソロモンこれらに限らないが、等の復号化メカニズムとする。
【００２４】
本発明の光学ストレージデバイス２０は、従来の技術による光学ストレージデバイスとは異なり、読み出し用の一般出力レーザー光線と特定出力レーザー光線を照射することができる。そのうち、データ域１１２のデータ読み出し用の一般出力レーザー光線の出力は約０.５ mWとし、データ域１１２のデータ読み出し後に感光層１２を破壊するための特定出力レーザー光線は約１.０ mWとする。
【００２５】
さらに、従来の技術における光学ストレージデバイスは、記録媒体１０のデータ域１１２の暗号化されたデータの復号化に用いる復号化メカニズムを含まないだけでなく、コントロールデータ域１１１のコントロールコード１１５の確認も行なわない。
【００２６】
本発明の光学ストレージデバイス２０は、記録媒体１０のデータ域１１２の暗号化されたデータの復号化のための復号化メカニズムを含むか、或いは記録媒体１０が光学ストレージデバイス２０に読み込まれるとき、コントロールデータ域１１１のコントロールコード１１５を読み込み、識別する。例えば、コントロールコード１１５が４〜６バイト長を有する場合、記録媒体１０の製造元は製造シリアル番号、ランダムシリアル番号、またはコンピュータソフトウェア、画像ファイル、オーディオファイルの認証番号をコントロールデータ域１１１に書き込むことができ、且つ、４８ビットの特定形式のいくつかの一定のビットが光学ストレージデバイス２０の識別のために提供される。光学ストレージデバイス２０が復号化メカニズムを含む場合、コントロールデータ域１１１からコントロールコード１１５を読み出すことができる。光学ストレージデバイス２０は、コントロールコード１１５が識別された場合、その暗号化されたデータを読み出し、そのデータを復号化して出力する。または、コントロールコード１１５が識別されなかった場合は、光学ストレージデバイス２０が暗号化されたデータを読み出し、直接それを出力する。このため、復号化されていないデータがスクリーンに表示されることになる。このため、本発明による記録媒体１０と光学ストレージデバイス２０を組み合わせることで、読み出し保護と不正コピー防止という目的を確実に達成することができ、本発明を用いるコンテンツ提供元は発行元や映画制作会社、コンピュータ会社などに少ないロイヤリティを支払うのみでよいため、コンテンツ提供元がCDやDVDの販売価格を下げることが見込まれる。このため、本発明の読み出し保護機能を備えたシステムは、従来の技術の欠点を克服することができる。
【００２７】
さらに、読み出し保護という目的を強化するため、本発明のリード・ワンス記録媒体１０はさらに  データ担体１１上方に配置された感光層１２（図１参照）を含み、この感光層１２は有機色素を使ったスピンコーティング工程によりデータ担体１１上に形成するか、無機合金材料を使ったスパッタリングコーティング工程によりデータ担体１１上に形成することができ、光学ストレージデバイス２０から照射される特定の出力のレーザー光がデータ担体１１を通過して感光層１２上に集中されると、その構造が変えられ、感光層１２により反射されたレーザー光は、光学ストレージデバイス２０に認識されなくなり、これにより読み出し保護と言う目的が達せられる。そのうち、感光層１２の反射率、屈折率または吸収率は、レーザー光がデータ担体１１を通過して感光層１２上に集中したときに変えられる。レーザー光線の出力は１.０mW以上であるものとする。
【００２８】
本発明の実施により、感光層を備えた記録媒体は、そのコントロールデータ域にコントロールコードを有し、記録媒体が光学ストレージデバイスに読み込まれるとき、光学ストレージデバイスから照射される特定の出力のレーザー光がデータ担体を通過して感光層上に集中されると感光層またはデータ担体の構造が変えられ、レーザー光が感光層により反射されて光学ストレージデバイスに認識されなくなる。このため、本発明は不正コピー防止のための従来の技術による装置を確実に超えることができる。
【００２９】
以上で説明された発明は、最良の実施例に基づくものであり、当然ながら本発明はそれに制限されないものとする。反対に、さまざまな変化や同様のアレンジ及び手順も含まれるものとし、このため添付の特許請求の範囲は、そのような変化や同様のアレンジ及び手順すべてが含まれるよう、最も広い解釈がなされるものとする。
【００３０】
上述の説明をまとめると、本発明は従来の構造より優れたパフォーマンスが得られ、さらに特許出願の要件に符合しており、相応の特許権付与の審査のため特許庁に対しここに出願を提出するものである。
【図面の簡単な説明】
【００３１】
【図１ａ】本発明の最良の実施例に基づくリード・ワンス記録媒体１０の断面図である。
【図１ｂ】本発明の最良の実施例に基づく記録媒体１０の拡大図である。
【図２】本発明の最良の実施例に基づく読み出し保護機能を備えたシステムの組み立て図である。
【符号の説明】
【００３２】
１０      記録媒体
１１      データ媒体
１１１    コントロールデータ域
１１２    データ域
１１３    ブロック
１１４    セクター
１１５    コントロールコード
１２      感光層
１３      反射層
１４      接着層
１５      透明基材
２０      光学ストレージデバイス
【図１ａ】
2007250163.tif 000003
【図１ｂ】
2007250163.tif 000004
【図２】
2007250163.tif 000005